(57)【要約】【課題】記録媒体の斜行を容易に解消することができるプリンタを提供する。【解決手段】プリンタ１０は、プラテン２０を支持する支持台５０と、供給軸３２を支持する供給装置３０と、巻き取り軸６２を支持する第１支持部材６３Ｌおよび第２支持部材６３Ｒとを有し、支持台５０に対して第２支持部材６３Ｒ周りに回転させることにより、巻き取り軸６２の供給軸３２に対する位置を調整可能な巻き取り装置６０と、第１支持部材６３Ｌ及び支持台５０を連結する第１ブラケット９０と、第１支持部材６３Ｌの第１孔８０及び第１ブラケット９０の第２孔９３に挿入された第１締結部材８５と、支持台５０の第３孔８２及び第１ブラケット９０の第４孔９４に挿入された第２締結部材８６と、を備え、第１孔８０は主走査方向Ｙに延びる長円形状に形成され、第４孔９４は副走査方向Ｘに延びる長円形状に形成されている。【選択図】図９
2018122538.tif 000002
【特許請求の範囲】
【請求項１】
長尺な記録媒体が載置されるプラテンと、
前記プラテンの下方に配置され、前記プラテンを支持する支持台と、
前記プラテンに対して前記記録媒体の幅方向である主走査方向と直交する副走査方向の上流側に配置され、前記主走査方向に延びかつ前記記録媒体が巻き付けられた供給軸を回転可能に支持する供給装置と、
前記プラテンに設けられ、前記供給軸から巻き解かれた前記記録媒体を前記副走査方向に搬送する搬送装置と、
前記プラテンから搬送された前記記録媒体を巻き取る巻き取り軸の一方の端部を回転可能に支持する第１支持部材及び前記巻き取り軸の他方の端部を回転可能に支持する第２支持部材を有し、前記支持台に対して前記第２支持部材周りに回転させることによって前記巻き取り軸の前記供給軸に対する位置を調整可能に構成され、前記プラテンに対して前記副走査方向の下流側かつ前記支持台に固定される巻き取り装置と、
前記主走査方向に延びる第１部分及び前記副走査方向に延びる第２部分を有し、前記第１支持部材及び前記支持台を連結するブラケットと、
前記第１支持部材に形成された第１孔及び前記ブラケットの前記第１部分に形成された第２孔に挿入され、前記第１支持部材及び前記ブラケットを締結する第１締結部材と、
前記支持台に形成された第３孔及び前記ブラケットの前記第２部分に形成された第４孔に挿入され、前記支持台及び前記ブラケットを締結する第２締結部材と、を備え、
前記第１孔または前記第２孔は、前記主走査方向に延びる長円形状または矩形状に形成され、
前記第３孔または前記第４孔は、前記副走査方向に延びる長円形状または矩形状に形成されている、プリンタ。
【請求項２】
前記第１孔および前記第２孔は複数形成されている、請求項１に記載のプリンタ。
【請求項３】
前記第１孔は、前記主走査方向に延びる長円形状または矩形状に形成され、
前記第４孔は、前記副走査方向に延びる長円形状または矩形状に形成されている、請求項１または２に記載のプリンタ。
【請求項４】
前記支持台は、上下方向に延びる第１脚部と、前記第１脚部の下端から前記副走査方向に延びる第２脚部とを備え、
前記第１支持部材は、前記主走査方向に延びる第１壁と、前記第１壁の下端から前記副走査方向に延びる第２壁とを備え、
前記ブラケットは、前記第１壁と前記第１脚部とを連結し、
前記第１孔は、前記第１壁に形成され、
前記第３孔は、前記第１脚部に形成され、
前記第２壁に形成された第５孔と前記第２脚部に形成された第６孔とに挿入され、前記第２壁と前記第２脚部とを締結する第３締結部材を備え、
前記第５孔の大きさと前記第６孔の大きさとは異なる、請求項１から３のいずれか一項に記載のプリンタ。
【請求項５】
前記巻き取り装置は、前記主走査方向に延び、前記巻き取り軸と平行に配置され、前記第１支持部材と前記第２支持部材とに接続されたスライド軸を備え、
前記第１支持部材は、前記巻き取り軸の前記一方の端部を回転可能に支持し、前記スライド軸に沿って前記主走査方向に移動可能に設けられた第１支持ホルダーを有し、
前記第２支持部材は、前記巻き取り軸の前記他方の端部を回転可能に支持し、前記スライド軸に沿って前記主走査方向に移動可能に設けられた第２支持ホルダーを有している、請求項１から４のいずれか一項に記載のプリンタ。
【請求項６】
前記プラテンの上方に配置され、前記主走査方向に移動し、前記記録媒体にインクを吐出するインクヘッドを備えている、請求項１から５のいずれか一項に記載のプリンタ。
【請求項７】
前記プラテンの上方に配置され、前記主走査方向に移動し、前記記録媒体をカットするカッティングヘッドを備えている、請求項１から６のいずれか一項に記載のプリンタ。
【発明の詳細な説明】
【技術分野】
【０００１】
本発明は、プリンタに関する。
【背景技術】
【０００２】
従来から、インクを記録媒体に吐出するインクヘッドや記録媒体を切断するカッティングヘッドと、長尺な記録媒体を搬送する搬送装置と、を備えたプリンタが知られている。プリンタとしては、例えば、供給軸にロール状に巻き付けられた記録媒体が巻き解かれながら搬送され、搬送された記録媒体が巻き取り軸にロール状に巻き取られるロールトゥロール方式のプリンタが知られている（例えば特許文献１参照）。
【０００３】
近年では、比較的大型のサイズの記録媒体を用いることが可能な大型のプリンタの開発が進んでいる。このような大型のプリンタでは、プリンタによる作業を行う前に、作業者は予め記録媒体をプリンタのプラテンに載置して、記録媒体の位置合わせをする必要がある。記録媒体が適切な位置に配置されていない場合には、記録媒体が斜行して搬送されることがあり、インクヘッドによる印刷やカッティングヘッドによるカッティングが適切に行われなくなることがあるので、作業者は、記録媒体をプラテンに慎重に配置する必要がある。
【先行技術文献】
【特許文献】
【０００４】
【特許文献１】特開２０１１−１１８８９号公報
【発明の概要】
【発明が解決しようとする課題】
【０００５】
ところで、記録媒体がプラテン上に適切に載置された場合であっても、記録媒体が巻き付けられた供給軸と、搬送された記録媒体を巻き取る巻き取り軸とが互いに平行に配置されていなければ、記録媒体の搬送時に記録媒体が斜行する虞がある。記録媒体が斜行した状態で巻き取り軸に巻き取られてしまうと、巻き取られた記録媒体の端面が揃わずに凹凸ができてしまうという問題がある。
【０００６】
本発明はかかる点に鑑みてなされたものであり、その目的は、記録媒体の斜行を容易に解消することができるプリンタを提供することである。
【課題を解決するための手段】
【０００７】
本発明者は、巻き取り軸の一方の端部を回転可能に支持する第１支持部材と、巻き取り軸の他方の端部を回転可能に支持する第２支持部とを備えた巻き取り装置を供給軸に対して移動可能な構成とすることを思い立った。ここで、第１支持部材と第２支持部材との両方を供給軸に対して移動可能な構成とするのではなく、いずれかを固定して他方のみを供給軸に対して移動可能な構成とすることによって、調整工程の削減と部品点数を削減することを見出した。
【０００８】
本発明に係るプリンタは、長尺な記録媒体が載置されるプラテンと、前記プラテンの下方に配置され、前記プラテンを支持する支持台と、前記プラテンに対して前記記録媒体の幅方向である主走査方向と直交する副走査方向の上流側に配置され、前記主走査方向に延びかつ前記記録媒体が巻き付けられた供給軸を回転可能に支持する供給装置と、前記プラテンに設けられ、前記供給軸から巻き解かれた前記記録媒体を前記副走査方向に搬送する搬送装置と、前記プラテンから搬送された前記記録媒体を巻き取る巻き取り軸の一方の端部を回転可能に支持する第１支持部材及び前記巻き取り軸の他方の端部を回転可能に支持する第２支持部材を有し、前記支持台に対して前記第２支持部材周りに回転させることによって前記巻き取り軸の前記供給軸に対する位置を調整可能に構成され、前記プラテンに対して前記副走査方向の下流側かつ前記支持台に固定される巻き取り装置と、前記主走査方向に延びる第１部分及び前記副走査方向に延びる第２部分を有し、前記第１支持部材及び前記支持台を連結するブラケットと、前記第１支持部材に形成された第１孔及び前記ブラケットの前記第１部分に形成された第２孔に挿入され、前記第１支持部材及び前記ブラケットを締結する第１締結部材と、前記支持台に形成された第３孔及び前記ブラケットの前記第２部分に形成された第４孔に挿入され、前記支持台及び前記ブラケットを締結する第２締結部材と、を備え、前記第１孔または前記第２孔は、前記主走査方向に延びる長円形状または矩形状に形成され、前記第３孔または前記第４孔は、前記副走査方向に延びる長円形状または矩形状に形成されている。
【０００９】
本発明のプリンタによると、巻き取り装置を支持台に対して第２支持部材周りに回転させることにより、巻き取り軸の供給軸に対する位置を調整することができる。これにより、供給軸と巻き取り軸とを互いに平行に配置することができ、記録媒体の搬送時に記録媒体が斜行することを抑制することができる。ここで、巻き取り装置を支持台に対して第２支持部材周りに回転させたときに、第１支持部材が支持台に対して副走査方向（例えば前後方向）に移動することがある。この場合であっても、支持台に形成された第３孔または支持台と第１支持部材とを連結するブラケットの第２部分に形成された第４孔は、副走査方向に延びる長円形状または矩形状に形成されているため、ブラケットの位置を副走査方向に調整することができ、第１支持部材を支持台に確実に固定することができる。また、巻き取り装置を支持台に対して第２支持部材周りに回転させたときに、第１支持部材が支持台に対して主走査方向（例えば左右方向）に移動することがある。この場合であっても、第１支持部材に形成された第１孔または支持台と第１支持部材とを連結するブラケットの第１部分に形成された第２孔は、主走査方向に延びる長円形状または矩形状に形成されているため、第１支持部材またはブラケットの位置を主走査方向に調整することができ、第１支持部材を支持台に確実に固定することができる。
【発明の効果】
【００１０】
本発明によれば、記録媒体の斜行を容易に解消することができるプリンタを提供することができる。
【図面の簡単な説明】
【００１１】
【図１】一実施形態に係るプリンタの正面図である。
【図２】図１中のＩＩ−ＩＩ線に沿うプリンタの断面図である。
【図３】一実施形態に係る巻き取り装置の上面図である。
【図４】一実施形態に係る第１ブラケットの斜視図である。
【図５】一実施形態に係る巻き取り装置およびその周辺構造を示す正面図である。
【図６】図５のＶＩ部分の拡大図であり、第１孔およびその周辺構造を表す図である。
【図７】一実施形態に係る巻き取り装置およびその周辺構造を示す背面図である。
【図８】一実施形態に係る巻き取り装置およびその周辺構造を示す上面図である。
【図９】図８のＩＸ部分の拡大図であり、第３孔およびその周辺構造を表す図である。
【図１０】一実施形態に係る巻き取り装置およびその周辺構造を示す左側面図である。
【図１１】一実施形態に係る巻き取り装置およびその周辺構造を示す右側面図である。
【図１２】一実施形態に係る一実施形態に係る巻き取り装置およびその周辺構造を示す上面図である。
【発明を実施するための形態】
【００１２】
以下、図面を参照しながら、一実施形態に係るプリンタについて説明する。本実施形態に係るプリンタは、長尺な記録媒体（例えば帯状の記録媒体）に印刷を行うインクジェットプリンタ１０（以下、プリンタ１０とする。）である。なお、ここで説明される実施形態は、当然ながら特に本発明を限定することを意図したものではない。また、同じ作用を奏する部材、部位には同じ符号を付し、重複する説明は適宜省略または簡略化する。
【００１３】
図１は、本実施形態に係るプリンタ１０の正面図である。図２は、図１のＩＩ‐ＩＩ線に沿うプリンタ１０の断面図である。プリンタ１０は、ロール状の記録媒体５に印刷を行うためのものである。図３は、プリンタ１０の後述する巻取り装置６０の上面図である。なお、図３では、説明の便宜上、後述するテンションバー７２等周辺部品の図示を省略している。
【００１４】
以下の説明では、左、右、上、下とは、プリンタ１０の正面にいる作業者から見た左、右、上、下をそれぞれ意味することとする。また、プリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。図面中の符号Ｙは主走査方向を表す。本実施形態では、主走査方向Ｙは、左右方向である。主走査方向Ｙは、記録媒体５の幅方向である。図面中の符号Ｘは副走査方向を表す。副走査方向Ｘは主走査方向Ｙと交差する方向（例えば、平面視で垂直に交差する方向）である。本実施形態では、副走査方向Ｘは前後方向である。副走査方向Ｘは、記録媒体５の長手方向である。ただし、上記方向は便宜的に定めたものに過ぎず、限定的に解釈すべきものではない。
【００１５】
本実施形態の記録媒体５は、普通紙である。記録媒体５は、後述する供給軸３２に巻き付け可能でありかつ後述する巻き取り軸６２に巻き取り可能な形状のものであればよく、記録紙に限定されない。記録媒体５は、普通紙やインクジェット用印刷紙等の紙類以外に、ポリ塩化ビニルやポリエステル等の樹脂製のシートやフィルム、織布や不織布等の布帛、その他の媒体であってもよい。
【００１６】
図１に示すように、プリンタ１０は、本体部１２と、左サイドカバー１３Ｌおよび右サイドカバー１３Ｒと、プラテン２０と、グリッドローラ２２（図２参照）と、ピンチローラ２３（図２参照）と、ガイドレール２４と、ベルト２５と、キャリッジ２６（図２参照）と、インクヘッド２７と、カッティングヘッド２８と、供給装置３０と、巻き取り装置６０と、支持台５０と、を備えている。
【００１７】
図１に示すように、本体部１２は、支持台５０に支持されている。本体部１２は、主走査方向Ｙに延びている。左サイドカバー１３Ｌは、本体部１２の左端に設けられている。右サイドカバー１３Ｒは、本体部１２の右端に設けられている。本体部１２には上下方向に延びる中央壁１４が設けられている。中央壁１４は、主走査方向Ｙに延びている。中央壁１４は、左サイドカバー１３Ｌと右サイドカバー１３Ｒとを連結する。
【００１８】
図１に示すように、本体部１２には、記録媒体５が載置されるプラテン２０が設けられている。プラテン２０は、主走査方向Ｙに延びる。プラテン２０は、支持台５０に支持されている。
【００１９】
図１に示すように、支持台５０は、プラテン２０の下方に配置されている。支持台５０は、第１左脚部５１Ｌおよび第２左脚部５２Ｌと、第１右脚部５１Ｒおよび第２右脚部５２Ｒと、を備えている。第１左脚部５１Ｌおよび第１右脚部５１Ｒは、上下方向に延びる。第２左脚部５２Ｌは、第１左脚部５１Ｌの下端から副走査方向（ここでは前後方向）に延びる。第２右脚部５２Ｒは、第１右脚部５１Ｒの下端から副走査方向（ここでは前後方向）に延びる。
【００２０】
図２に示すように、プラテン２０には、円筒状のグリッドローラ２２が設けられている。グリッドローラ２２は、その上面部を露出させた状態でプラテン２０に埋設されている。グリッドローラ２２は、フィードモータ（図示せず）によって駆動される。グリッドローラ２２は、記録媒体５を副走査方向Ｘに移動させる。グリッドローラ２２は、搬送装置の一例である。
【００２１】
グリッドローラ２２の上方には、ピンチローラ２３が配置されている。ピンチローラ２３は、グリッドローラ２２に対向している。ピンチローラ２３は、記録媒体５の厚さに応じて上下方向の位置を設定可能に構成されている。ピンチローラ２３は、記録媒体５を押さえる。ピンチローラ２３とグリッドローラ２２との間に記録媒体５を挟み込む。グリッドローラ２２およびピンチローラ２３は、記録媒体５を狭持しながら記録媒体５を副走査方向Ｘに搬送可能に構成されている。なお、図２では、一つのグリッドローラ２２と一つのピンチローラ２３のみを図示しているが、実際には、一対のグリッドローラ２２およびピンチローラ２３が複数設けられている。
【００２２】
図１示すように、ガイドレール２４は、中央壁１４に設けられている。ガイドレール２４は、プラテン２０の上方に配置されている。ガイドレール２４は、プラテン２０と平行に配置されている。ガイドレール２４は、主走査方向Ｙに延びている。図２に示すように、ガイドレール２４には、キャリッジ２６が係合している。
【００２３】
図１に示すように、ベルト２５は、中央壁１４の壁面に平行して配置されている。ベルト２５は、主走査方向Ｙに延びている。ベルト２５は、無端状のベルトである。ベルト２５の右端および左端には、プーリ１６Ａ、１６Ｂが巻き掛けられている。一方のプーリ１６Ａには、当該プーリ１６Ａを駆動するスキャンモータ１７に接続されている。スキャンモータ１７が回転するとプーリ１６Ａが回転し、ベルト２５が主走査方向Ｙに走行する。
【００２４】
図２に示すように、キャリッジ２６は、ベルト２５に固定されている。ベルト２５が走行すると、キャリッジ２６はガイドレール２４に沿って主走査方向Ｙに移動する。
【００２５】
図２に示すように、インクヘッド２７は、プラテン２０の上方に配置されている。インクヘッド２７は、記録媒体５にインクを吐出するノズル（図示せず）を備えている。インクヘッド２７は、キャリッジ２６に設けられている。キャリッジ２６が主走査方向Ｙに移動すると、インクヘッド２７も主走査方向Ｙに移動する。インクヘッド２７は、主走査方向Ｙに移動しながら記録媒体５に向かってインクを吐出する。
【００２６】
図１に示すように、カッティングヘッド２８は、プラテン２０の上方に配置されている。カッティングヘッド２８は、記録媒体５をカットするカッター（図示せず）を備えている。カッティングヘッド２８は、キャリッジ２６に設けられている。キャリッジ２６が主走査方向Ｙに移動すると、カッティングヘッド２８も主走査方向Ｙに移動する。なお、本実施形態では、カッティングヘッド２８およびインクヘッド２７は、同一のキャリッジ２６に搭載されているが、それぞれ別個のキャリッジに搭載され、相互に独立して移動するように構成されていてもよい。
【００２７】
図２に示すように、供給装置３０は、プラテン２０に対して副走査方向Ｘの上流側に配置されている。供給装置３０は、プラテン２０より後方に配置されている。なお、本実施形態において、供給装置３０側を副走査方向Ｘの上流側とし、巻き取り装置６０側を副走査方向Ｘの下流側とする。供給装置３０には、供給軸３２が着脱自在に設けられる。供給装置３０は、供給軸３２を回転可能に支持する。なお、後述する巻き取り装置６０の巻き取り軸６２に対する供給装置３０の供給軸３２の位置を調整可能に構成してもよい。
【００２８】
図１に示すように、供給装置３０は、第１ホルダー３３と第２ホルダー３４と、を備えている。第１ホルダー３３は、供給軸３２の右端部を回転可能に支持する。第２ホルダー３４は、供給軸３２の左端部を回転可能に支持する。第１ホルダー３３および第２ホルダー３４は、主走査方向Ｙに延びるスライドバー５５（図２も参照）にスライド自在に設けられている。第１ホルダー３３および第２ホルダー３４は、スライドバー５５に沿って主走査方向Ｙに移動可能に設けられている。スライドバー５５は、第１左脚部５１Ｌに設けられた左ブラケット５３Ｌと、第１右脚部５１Ｒに設けられた右ブラケット５３Ｒとに支持されている。第１ホルダー３３および第２ホルダー３４は、グリッドローラ２２より後方に配置されている。第１ホルダー３３は、第２ホルダー３４より右方に配置されている。
【００２９】
図２に示すように、供給軸３２は、プラテン２０より下方に配置されている。供給軸３２は、プラテン２０より後方に配置されている。供給軸３２は、主走査方向に延びる円筒形状に形成されている。供給軸３２には、帯状の記録媒体５が巻き付けられている。供給軸３２の右端部は、第１ホルダー３３に回転可能に支持されている。供給軸３２の左端部は、第２ホルダー３４に回転可能に支持されている。供給軸３２は、第１ホルダー３３および第２ホルダー３４に着脱自在に設けられている。
【００３０】
図１に示すように、巻き取り装置６０は、第１支持部材６３Ｌと、第２支持部材６３Ｒと、巻き取り軸６２と、スライド軸７０と、テンションバー７２と、左支持アーム７３Ｌと、右支持アーム７３Ｒと、モータ７４と、を備えている。
【００３１】
図２に示すように、巻き取り装置６０は、プラテン２０に対して副走査方向Ｘの下流側に配置されている。巻き取り装置６０は、プラテン２０より前方に配置されている。巻き取り装置６０は、支持台５０に固定されている。巻き取り装置６０は、第２左脚部５２Ｌおよび第２右脚部５２Ｒ上に配置されている。巻き取り装置６０には、巻き取り軸６２が着脱自在に設けられる。巻き取り装置６０は、巻き取り軸６２を回転可能に支持する。図３に示すように、巻き取り装置６０は、支持台５０に対して第２支持部材６３Ｒに設けた回転中心Ｐ周りに回転させることにより、第１支持部材６３Ｌ側が第２支持部材６３Ｒを中心に図３の矢印Ｚ方向のように円弧上に移動することで、巻き取り軸６２の供給軸３２に対する位置を調整可能に構成されている。具体的には、図１２に示すように、第２支持部材６３Ｒの後述する第２壁６５Ｒには、真円形状の孔４４が形成されている。支持台５０の第２右脚部５２Ｒには、真円形状の孔４６が形成されている。孔４４および孔４６には、締結部材４５が挿入されている。締結部材４５としては、例えば、ねじ、ビスおよびボルト等が挙げられる。そして、図８に示すように、締結部材４５を中心に巻き取り装置６０が回動可能となるように、第１支持部材６３Ｌの後述する第２壁６５Ｌには、孔４４および孔４６より大きい孔７５が形成されている。孔７５は、楕円形状に形成されている。
【００３２】
図１に示すように、スライド軸７０は、主走査方向Ｙに延びる。スライド軸７０は、巻き取り軸６２と平行に配置されている。スライド軸７０は、巻き取り軸６２より下方に配置されている。スライド軸７０は、第１支持部材６３Ｌと第２支持部材６３Ｒとに接続されている。スライド軸７０は、第１支持部材６３Ｌの第３壁６６Ｌおよび第２支持部材６３Ｒの第３壁６６Ｒに接続されている。
【００３３】
図１に示すように、第１支持部材６３Ｌは、主走査方向に延び縦壁を構成する第１壁６４Ｌと、第１壁６４Ｌの下端から副走査方向（ここでは図１の紙面垂直方向における前方）に延び底壁を構成する第２壁６５Ｌと、第１壁６４Ｌの左端から副走査方向（ここでは図１の紙面垂直方向における前方）に延び側壁を構成する第３壁６６Ｌとを有する本体部６７Ｌと、本体部６７Ｌに支持される第１支持ホルダー６８Ｌとを備えている。第１支持ホルダー６８Ｌは、巻き取り軸６２の一方の端部である左端部を回転可能に支持する。第１支持ホルダー６８Ｌは、スライド軸７０にスライド自在に設けられている。第１支持ホルダー６８Ｌは、スライド軸７０に沿って主走査方向Ｙに移動可能に設けられている。スライド軸７０は、第１支持部材６３Ｌに接続されている。具体的には、スライド軸７０は、本体部６７Ｌの底壁を形成する第２壁６５Ｌに支持されている。図３に示すように、第１支持部材６３Ｌは、第２支持部材６３Ｒを中心に図３の矢印Ｚ方向のように円弧上を移動可能に構成されている。巻き取り装置６０を支持台５０に対して第２支持部材６３Ｒ周りに回転させると、第１支持部材６３Ｌ側が第２支持部材６３Ｒを中心に図３の矢印Ｚ方向のように円弧上を移動する。かかる第１支持部材６３Ｌ側の円弧状の移動に対応すべく、第１支持部材６３Ｌが支持台５０に対して副走査方向Ｙ（例えば前後方向）に移動可能かつ走査方向Ｙ（例えば左右方向）に移動可能に構成されている。
【００３４】
図１に示すように、第２支持部材６３Ｒは、主走査方向に延び縦壁を構成する第１壁６４Ｒと、第１壁６４Ｒの下端から副走査方向（ここでは図１の紙面垂直方向における前方）に延び底壁を構成する第２壁６５Ｒと、第１壁６４Ｒの右端から副走査方向（ここでは図１の紙面垂直方向における前方）に延び側壁を構成する第３壁６６Ｒとを有する本体部６７Ｒと、本体部６７Ｒに支持される第２支持ホルダー６８Ｒとを備えている。第２支持ホルダー６８Ｒは、巻き取り軸６２の一方の端部である右端部を回転可能に支持する。第２支持ホルダー６８Ｒは、スライド軸７０にスライド自在に設けられている。第２支持ホルダー６８Ｒは、スライド軸７０に沿って主走査方向Ｙに移動可能に設けられている。スライド軸７０は、第２支持部材６３Ｒに接続されている。具体的には、スライド軸７０は、本体部６７Ｒの底壁を形成する第２壁６５Ｒに支持されている。本実施形態では、第２支持部材６３Ｒは支持台５０の所定の位置に配置され、第２支持部材６３Ｒの支持台５０に対する主走査方向Ｙおよび副走査方向Ｘの位置を調整することができない。
【００３５】
図２に示すように、巻き取り軸６２は、プラテン２０より下方に配置されている。巻き取り軸６２は、プラテン２０より前方に配置されている。巻き取り軸６２は、主走査方向に延びる円筒形状に形成されている。巻き取り軸６２は、プラテン２０から搬送された帯状の記録媒体５を巻き取る。図１に示すように、巻き取り軸６２の左端部は、第１支持ホルダー６８Ｌに回転可能に支持されている。巻き取り軸６２の右端部は、第２支持ホルダー６８Ｒに回転可能に支持されている。巻き取り軸６２は、第１支持ホルダー６８Ｌおよび第２支持ホルダー６８Ｒに着脱自在に設けられている。
【００３６】
図１に示すように、モータ７４は、巻き取り軸６２に連結されている。モータ７４は、巻き取り軸６２を回転させる。モータ７４は、第２支持ホルダー６８Ｒに設けられている。モータ７４は、第１支持ホルダー６８Ｌに設けられていてもよい。
【００３７】
図２に示すように、テンションバー７２は、記録媒体５のうちプラテン２０と巻き取り軸６２との間に位置する部分に対して張力を与えるものである。詳しくは、テンションバー７２は、自重を利用して記録媒体５を前斜め下方に押すことにより、記録媒体５に対して張力を与えるものである。テンションバー７２は、主走査方向Ｙに延びる円筒形状または円柱形状に形成されている。テンションバー７２は、巻き取り軸６２と平行に配置されている。テンションバー７２はプラテン２０より下方に配置されている。テンションバー７２は、巻き取り軸６２より前方に配置されている。図１に示すように、テンションバー７２は、左支持アーム７３Ｌおよび右支持アーム７３Ｒに揺動可能に支持されている。左支持アーム７３Ｌは、第１支持部材６３Ｌの第３壁６６Ｌに回転自在に設けられている。右支持アーム７３Ｒは、第２支持部材６３Ｒの第３壁６６Ｒに回転自在に設けられている。
【００３８】
図３に示すように、プリンタ１０は、一対の第１ブラケット９０と一対の第２ブラケット９５とを備えている。図４に示すように、第１ブラケット９０は、主走査方向Ｙに延びる第１部分９１と、副走査方向Ｘに延びる第２部分９２とを有している。第１部分９１および第２部分９２は、上下方向に延びる。第１ブラケット９０は、第１支持部材６３Ｌと支持台５０とを連結する。より詳細には、第１ブラケット９０は、第１支持部材６３Ｌの第１壁６４Ｌと第１左脚部５１Ｌとを連結する。第１ブラケット９０の第１部分９１には、第２孔９３が貫通形成されている。第２孔９３の貫通方向と副走査方向Ｘとが対応するように、第１支持部材６３Ｌの第１壁６４Ｌに固定される。第２孔９３は、第１部分９１の上部および下部にそれぞれ一つずつ形成されている。第２孔９３は、円形状に形成されている。第１ブラケット９０の第２部分９２には、長円形状の第４孔９４が貫通形成されている。第４孔９４の長手方向と副走査方向Ｘとが対応するように、支持台５０の第１左脚部５１Ｌに固定される。第４孔９４は、上下方向において、第２孔９３の間に形成されている。即ち、第４孔９４は、第１部分９１の上部に形成された第２孔９３より下方かつ第１部分９１の下部に形成された第２孔９３より上方に形成されている。
【００３９】
第２ブラケット９５は、第１ブラケット９０の第４孔９４に相当する孔が円形状に形成されている点を除き第１ブラケット９０と同じ形状である。第２ブラケット９５は、第２支持部材６３Ｒと第１右脚部５１Ｒとを連結する。より詳細には、第２ブラケット９５は、第２支持部材６３Ｒの第１壁６４Ｒと第１右脚部５１Ｒとを連結する。
【００４０】
図５に示すように、第１支持部材６３Ｌの第１壁６４Ｌには、複数の第１孔８０が貫通形成されている。第１孔８０の貫通方向と副走査方向Ｘとが対応している。図６に示すように、第１孔８０は、主走査方向Ｙに延びる長円形状に形成されている。
【００４１】
図５および図７に示すように、第１支持部材６３Ｌの第１壁６４Ｌに形成された第１孔８０と第１ブラケット９０の第１部分９１に形成された第２孔９３とには、第１締結部材８５が挿入されている。図８に示すように、第１締結部材８５は、第１支持部材６３Ｌと第１ブラケット９０とを締結する。第１締結部材８５としては、例えば、ねじ、ビスおよびボルト等が挙げられる。第１孔８０が長円形状に形成されていることにより、巻き取り装置６０を支持台５０に対して第２支持部材６３Ｒ周りに回転させたときに（図３の矢印Ｚの方向）、第１支持部材６３Ｌの支持台５０に対する主走査方向Ｙの位置を調整することができる。これにより、巻き取り軸６２の供給軸３２に対する位置を調整することができる。
【００４２】
図９に示すように、支持台５０の第１左脚部５１Ｌには、第３孔８２が貫通形成されている。第３孔８２の貫通方向と主走査方向Ｙとが対応している。第３孔８２は、円形状に形成されている。
【００４３】
図９に示すように、支持台５０の第１左脚部５１Ｌに形成された第３孔８２と第１ブラケット９０の第２部分９２に形成された第４孔９４とには、第２締結部材８６が挿入されている。図１０および図１１に示すように、第２締結部材８６は、第１ブラケット９０と支持台５０の第１左脚部５１Ｌとを締結する。第２締結部材８６としては、例えば、ねじ、ビスおよびボルト等が挙げられる。第４孔９４が長円形状に形成されていることにより、巻き取り装置６０を支持台５０に対して第２支持部材６３Ｒ周りに回転させたときに（図３の矢印Ｚの方向）、第１支持部材６３Ｌの支持台５０に対する副走査方向Ｘの位置を調整することができる。これにより、巻き取り軸６２の供給軸３２に対する位置を調整することができる。
【００４４】
図８に示すように、第１支持部材６３Ｌの第２壁６５Ｌには、複数の第５孔７５が貫通形成されている。第５孔７５の貫通方向と上下方向とが対応している。
【００４５】
図８に示すように、支持台５０の第２左脚部５２Ｌには、複数の第６孔７６が貫通形成されている。第６孔７６は、第２左脚部５２Ｌの先端部分に２つ、第１左脚部５１Ｌの近傍に１つ形成されている。第６孔７６の貫通方向と上下方向とが対応している。第６孔７６は、円形状に形成されている。第５孔７５の大きさと第６孔７６の大きさとは異なる。第５孔７５は、第６孔７６より大きい。なお、第６孔７６は、第５孔７５より大きくてもよい。
【００４６】
図８に示すように、第１支持部材６３Ｌの第２壁６５Ｌに形成された第５孔７５と支持台５０の第２左脚部５２Ｌに形成された第６孔７６とには、第３締結部材８７が挿入されている。なお、本実施形態では、第３締結部材８７と第２壁６５Ｌとの間に板部材８８が介在している。板部材８８は、第５孔７５と重なる位置に配置されている。板部材８８には、第６孔７６と同様の孔（図示せず）が形成されている。第３締結部材８７は、第１支持部材６３Ｌの第２壁６５Ｌと支持台５０の第２左脚部５２Ｌとを締結する。第３締結部材８７としては、例えば、ねじ、ビスおよびボルト等が挙げられる。第５孔７５が第６孔７６より大きく形成されていることにより、巻き取り装置６０を支持台５０に対して第２支持部材６３Ｒ周りに回転させたときに（図３の矢印Ｚの方向）、第１支持部材６３Ｌの支持台５０に対する副走査方向Ｘおよび主走査方向Ｙの位置を調整することができる。板部材８８は、第５孔７５及び第６孔７６の主走査方向Ｙにおける開口幅より大きい直径を有するワッシャであってもよい。
【００４７】
以上のように、本実施形態のプリンタ１０によると、巻き取り装置６０を支持台５０に対して第２支持部材６３Ｒに設けた回転中心Ｐ周りに回転させることにより、巻き取り軸６２の供給軸３２に対する位置を調整することができる。これにより、供給軸３２と巻き取り軸６２とを互いに平行に配置することができ、記録媒体５の搬送時に記録媒体５が斜行することを抑制することができる。ここで、巻き取り装置６０を支持台５０に対して第２支持部材６３Ｒ周りに回転させたときに、第１支持部材６３Ｌが支持台５０に対して副走査方向Ｘ（例えば前後方向）に移動することがある。この場合であっても、支持台５０と第１支持部材６３Ｌとを連結する第１ブラケット９０の第２部分９２に形成された第４孔９４は、副走査方向Ｘに延びる長円形状に形成されているため、第１ブラケット９０の位置を副走査方向Ｘに調整することができ、第１支持部材６３Ｌを支持台５０に確実に固定することができる。また、巻き取り装置６０を支持台５０に対して第２支持部材６３Ｒ周りに回転させたときに、第１支持部材６３Ｌが支持台５０に対して主走査方向Ｙ（例えば左右方向）に移動することがある。この場合であっても、第１支持部材６３Ｌに形成された第１孔８０は、主走査方向Ｙに延びる長円形状に形成されているため、第１支持部材６３Ｌの位置を主走査方向に調整することができ、第１支持部材６３Ｌを支持台５０に確実に固定することができる。
【００４８】
本実施形態のプリンタ１０によると、第１支持部材６３Ｌには第１孔８０が複数形成され、第１ブラケット９０の第１部分９１には複数の第２孔９３が形成されている。これにより、第１支持部材６３Ｌの第１ブラケット９０に対する固定がより強固となる。また、第１締結部材８５を緩めて、第１支持部材６３Ｌと第１ブラケット９０との位置関係を調整するとき、第１ブラケット９０が第１支持部材６３Ｌに対して回転しないため、調整が容易となる。
【００４９】
本実施形態のプリンタ１０によると、第１孔８０は、主走査方向Ｙに延びる長円形状に形成され、第４孔９４は、副走査方向Ｘに延びる長円形状に形成されている。これにより、第１ブラケット９０を介して、第１支持部材６３Ｌと支持台５０との位置調整を容易に行うことができる。
【００５０】
本実施形態のプリンタ１０によると、第１支持部材６３Ｌの第２壁６５Ｌに形成された第５孔７５と支持台５０の第２左脚部５２Ｌに形成された第６孔７６とに挿入された第３締結部材８７によって、第１支持部材６３Ｌと第２左脚部５２Ｌとを締結することができるため、第１支持部材６３Ｌと支持台５０との固定がより強固となる。また、第５孔７５の大きさと第６孔７６の大きさとは異なるため、巻き取り装置６０を支持台５０に対して第２支持部材６３Ｒ周りに回転させたときに、第１支持部材６３Ｌと第２左脚部５２Ｌとの位置調整を行うことができる。
【００５１】
本実施形態のプリンタ１０によると、巻き取り装置６０は、巻き取り軸６２と平行に配置され、第１支持部材６３Ｌと第２支持部材６３Ｒとに接続されたスライド軸７０を備えている。第１支持部材６３Ｌは、巻き取り軸６２の左端部を回転可能に支持し、スライド軸７０に沿って主走査方向Ｙに移動可能に設けられた第１支持ホルダー６８Ｌを有し、第２支持部材６３Ｒは、巻き取り軸６２の右端部を回転可能に支持し、スライド軸７０に沿って主走査方向Ｙに移動可能に設けられた第２支持ホルダー６８Ｒを有している。これにより、記録媒体５の幅方向の長さに応じた巻き取り軸６２を適宜採用することができる。
【００５２】
本実施形態のプリンタ１０は、プラテン２０の上方に配置され、主走査方向Ｙに移動し、記録媒体５にインクを吐出するインクヘッド２７を備えている。記録媒体５の斜行が抑制された状態で記録媒体５が搬送されるため、記録媒体５上に適切に印刷することができる。
【００５３】
本実施形態のプリンタ１０は、プラテン２０の上方に配置され、主走査方向Ｙに移動し、記録媒体５をカットするカッティングヘッド２８を備えている。記録媒体５の斜行が抑制された状態で記録媒体５が搬送されるため、正確に記録媒体５をカットすることができる。
【００５４】
以上、本発明の好適な実施形態について説明した。しかし、上述の各実施形態は例示に過ぎず、本発明は他の種々の形態で実施することができる。
【００５５】
上述した実施形態では、第１ブラケット９０の第４孔９４および第１支持部材６３Ｌの第１孔８０は、それぞれ長円形状に形成されていたが、長円形状には長穴が含まれており、長矩形状に形成されていてもよい。さらに、第４孔９４および第１孔８０は長円形状または長矩形状に形成されていなくてもよく、それぞれ、副走査方向Ｘ及び主走査方向Ｙに移動可能なように、孔の一方の開口幅に対して孔の他方の開口幅が副走査方向Ｘまたは主走査方向Ｙに長くなるように設定されていてもよい。即ち、長円形状や長矩形状の外形形状が重要なのではなく、巻き取り装置６０を支持台５０に対して第２支持部材６３Ｒ周りに回転させたときに、第１支持部材６３Ｌと支持台５０との位置調整が可能なように第１孔８０は主走査方向Ｙに隙間を有し、第４孔９４は副走査方向Ｘに隙間を有する形状であればよい。
【００５６】
上述した実施形態では、第１孔８０が主走査方向Ｙに延びる長円形状に形成されかつ第２孔９３が円形状に形成されていたが、これに限定されない。第１孔８０が円形状に形成されかつ第２孔９３が主走査方向Ｙに延びる長円形状に形成されていてもよい。また、第３孔８２が円形状に形成されかつ第４孔９４が副走査方向Ｘに延びる長円形状に形成されかつていたが、これに限定されない。第３孔８２が副走査方向Ｘに延びる長円形状に形成されかつ第４孔９４が円形状に形成されていてもよい。
【００５７】
上述した実施形態では、巻き取り装置６０を支持台５０に対して第２支持部材６３Ｒ周りに回転させていたが、これに限定されない。例えば、巻き取り装置６０を支持台５０に対して第１支持部材６３Ｌ周りに回転させたときに、第２支持部材６３Ｒの支持台５０に対する副走査方向Ｘおよび主走査方向Ｙの位置を調整してもよい。これにより、巻き取り軸６２の供給軸３２に対する位置を調整してもよい。
【００５８】
上述した実施形態では、プリンタ１０は、インクヘッド２７およびカッティングヘッド２８を備えていたが、いずれか一方のみを備えている構成であってもよい。
【符号の説明】
【００５９】
２０  プラテン
３０  供給装置
３２  供給軸
５０  支持台
６０  巻き取り装置
６２  巻き取り軸
６３Ｌ  第１支持部材、６３Ｒ  第２支持部材
８０  第１孔
８２  第３孔
８５  第１締結部材
８６  第２締結部材
９０  第１ブラケット
９１  第１部分
９２  第２部分
９３  第２孔
９４  第４孔
【図１】
2018122538.tif 000003
【図２】
2018122538.tif 000004
【図３】
2018122538.tif 000005
【図４】
2018122538.tif 000006
【図５】
2018122538.tif 000007
【図６】
2018122538.tif 000008
【図７】
2018122538.tif 000009
【図８】
2018122538.tif 000010
【図９】
2018122538.tif 000011
【図１０】
2018122538.tif 000012
【図１１】
2018122538.tif 000013
【図１２】
2018122538.tif 000014